(57)【要約】  透明フィルム上に万線状のストライプを備えた万線フィルタを重ねることにより可視化する万線潜像と、電子透かしとが、所定領域に重複して印刷された印刷物。
2008023691.tif 000002
【特許請求の範囲】
【請求項１】
透明フィルム上に万線状のストライプを備えた万線フィルタを重ねることにより可視化する万線潜像と、電子透かしとが、所定領域に重複して印刷されていることを特徴とする印刷物。
【請求項２】
透明フィルム上に万線状のストライプを備えた万線フィルタを重ねることにより可視化する万線潜像の、電子画像データを生成する潜像画生成手段と；
電子透かしの電子画像データを生成する電子透かし生成手段と；
前記潜像画生成手段が生成した前記万線潜像の電子画像データと、前記電子透かし生成手段が生成した前記電子画像データとを所定領域に重ね合わせて、合成電子画像データを生成する画像合成手段と；
を有することを特徴とする画像処理装置。
【請求項３】
印刷物を読み取って電子画像データを生成する画像読取手段と；
前記印刷物に埋め込まれている潜像画を記憶する潜像画記憶手段と；
万線状のストライプを備えた万線フィルタの電子画像データを記憶する万線フィルタ記憶手段と；
前記印刷物に埋め込まれている電子透かしを記憶する電子透かし記憶手段と；
前記画像読取手段が生成した前記電子画像データに、前記万線フィルタ記憶手段が記憶している前記万線フィルタの電子画像データを重ね合わせることにより、前記潜像画記憶手段が記憶している前記潜像画が検出可能か否かを判定する潜像画検出手段と；
前記画像読取手段が生成した前記電子画像データから前記電子透かし記憶手段が記憶している前記電子透かしが検出可能か否かを判定する電子透かし検出手段と；
前記潜像画検出手段が前記潜像画を検出してかつ前記電子透かし検出手段が電子透かしを検出した場合に、前記印刷物が本物であると判定する真贋判定手段と；
を有することを特徴とする印刷物真贋判定装置。
【請求項４】
透明フィルム上に万線状のストライプを備えた万線フィルタを重ねることにより可視化する万線潜像の、電子画像データを生成する第１のステップと；
電子透かしの電子画像データを生成する第２のステップと；
前記第１のステップで生成した前記万線潜像の電子画像データと、前記第２のステップで生成した前記電子画像データとを所定領域に重ね合わせて、合成電子画像データを生成する第３のステップと；
を有することを特徴とする画像処理方法。
【請求項５】
前記印刷物に複数埋め込まれる前記電子透かしの検出数が所定数以上となり；
前記印刷物の原本における前記電子透かしの検出数と前記印刷物のコピーにおける前記電子透かしの検出数との差が所定値以上となるように、前記電子透かしの埋め込み強度を設定する；
ことを特徴とする請求項４に記載の画像処理方法。
【請求項６】
前記万線潜像の電子画像データはベクター画像であり；
前記電子透かしの電子画像データはビットマップ画像であり；
前記第３のステップでは、前記万線潜像の電子画像データをベクター画像からビットマップ画像に変換した後、前記電子透かしの電子画像データと重ね合わせて前記合成電子画像データを生成する；
ことを特徴とする請求項４に記載の画像処理方法。
【請求項７】
前記万線潜像の電子画像データはベクター画像であり；
前記電子透かしの電子画像データはビットマップ画像であり；
前記第３のステップでは、前記電子透かしの電子画像データをビットマップ画像からベクター画像に変換した後、前記万線潜像の電子画像データと重ね合わせて前記合成電子画像データを生成する；
ことを特徴とする請求項４に記載の画像処理方法。
【請求項８】
印刷物を読み取って電子画像データを生成する第１のステップと；
前記印刷物に埋め込まれている潜像画を記憶する第２のステップと；
万線状のストライプを備えた万線フィルタの電子画像データを記憶する第３のステップと；
前記印刷物に埋め込まれている前記電子透かしを記憶する第４のステップと；
前記第１のステップで生成した前記電子画像データに、前記第３のステップで記憶した前記万線フィルタの電子画像データを重ね合わせることにより、前記第２のステップで記憶した前記潜像画が検出可能か否かを判定する第５のステップと；
前記第１のステップで生成した電子画像データから前記第４のステップで記憶した前記電子透かしが検出可能か否かを判定する第６のステップと；
前記第５のステップで前記潜像画を検出してかつ前記第６のステップで前記電子透かしを検出した場合に前記印刷物が本物であると判定する第７のステップと；
を有することを特徴とする印刷物真贋判定方法。
【請求項９】
透明フィルム上に万線状のストライプを備えた万線フィルタを重ねることにより可視化する万線潜像の、電子画像データを生成する潜像画生成処理と；
電子透かしの電子画像データを生成する電子透かし生成処理と；
前記潜像画生成処理で生成した前記万線潜像の電子画像データと、前記電子透かし生成処理で生成した前記電子透かしの電子画像データとを所定領域に重ね合わせて合成電子画像データを生成する画像合成処理と；
をコンピュータに実行させるためのプログラム。
【発明の詳細な説明】
【技術分野】
【０００１】
本発明は、印刷物、印刷物の製造装置、印刷物真贋判定装置、画像処理方法、印刷物真贋判定方法、プログラム、特に、万線潜像及び電子透かしを利用した印刷物、印刷物の製造装置、印刷物真贋判定装置、画像処理方法、印刷物真贋判定方法、プログラムに関する。
本願は、２００６年８月２２日に、日本に出願された特願２００６−２２５１９２号に基づき優先権を主張し、その内容をここに援用する。
【背景技術】
【０００２】
従来から、透明フィルム上に万線状のストライプを備えた万線フィルタを重ねることにより可視化する万線潜像を印刷することにより、偽造等を防止するための印刷物を製造する方法が知られていた（特許文献１、特許文献２）。
また、電子画像データに電子透かしを埋め込むことにより、電子画像データの複製等を防止する方法が知られていた（特許文献３）。
【特許文献１】特開２００４−１７４８８０号公報
【特許文献２】特開２００１−２１３０４２号公報
【特許文献３】特開２００２−６４７００号公報
【発明の開示】
【発明が解決しようとする課題】
【０００３】
しかしながら、特許文献１及び特許文献２に記載されている技術では、印刷物に印刷されている万線潜像の模様を、印刷業者等が顕微鏡などで分析してその印刷物と同一の模様を持つ印刷物のコピーを作成することが可能であるため、印刷業者等による印刷物の偽造や複製を防ぐことができないという問題があった。【０００４】
本発明は、上記事情に鑑みてなされたものであり、印刷物の偽造や複製を防ぐために、あるいは予防するために有効な印刷物、その印刷物を得る為に好適な画像処理装置、画像処理方法、又はプログラム、並びに、この印刷物の真贋判定に好適な真贋判定装置や真贋判定方法の提供を課題とする。
【課題を解決するための手段】
【０００５】
上記課題を解決するために、この発明は以下の手段を採用している。すなわち、本発明の印刷物は、透明フィルム上に万線状のストライプを備えた万線フィルタを重ねることにより可視化する万線潜像と、電子透かしとが、所定領域に重複して印刷される。
上記の印刷物によれば、万線潜像から潜像画を検出可能か否かの判定に加えて、印刷物をスキャナ等で読み取った電子画像データから電子透かしが検出可能か否かの判定によっても印刷物が本物であるのか偽物であるのかの判定を行うことができる。その結果、印刷物の偽造や複製をより確実に防ぐ、あるいは、より確実に予防する効果を得ることができる。【０００６】
また、本発明の画像処理装置は、透明フィルム上に万線状のストライプを備えた万線フィルタを重ねることにより可視化する万線潜像の、電子画像データを生成する潜像画生成手段と；電子透かしの電子画像データを生成する電子透かし生成手段と；前記潜像画生成手段が生成した前記万線潜像の電子画像データと、前記電子透かし生成手段が生成した前記電子画像データとを所定領域に重ね合わせて、合成電子画像データを生成する画像合成手段と；を有する。
上記の画像処理装置によれば、本発明に係る印刷物を容易に得ることができる。【０００７】
また、本発明の印刷物真贋判定装置は、印刷物を読み取って電子画像データを生成する画像読取手段と；前記印刷物に埋め込まれている潜像画を記憶する潜像画記憶手段と；万線状のストライプを備えた万線フィルタの電子画像データを記憶する万線フィルタ記憶手段と；前記印刷物に埋め込まれている電子透かしを記憶する電子透かし記憶手段と；前記画像読取手段が生成した前記電子画像データに、前記万線フィルタ記憶手段が記憶している前記万線フィルタの電子画像データを重ね合わせることにより、前記潜像画記憶手段が記憶している前記潜像画が検出可能か否かを判定する潜像画検出手段と；前記画像読取手段が生成した前記電子画像データから前記電子透かし記憶手段が記憶している前記電子透かしが検出可能か否かを判定する電子透かし検出手段と；前記潜像画検出手段が前記潜像画を検出してかつ前記電子透かし検出手段が電子透かしを検出した場合に、前記印刷物が本物であると判定する真贋判定手段と；を有する。
上記の印刷物真贋判定装置によれば、本発明に係る印刷物の真贋を容易に判定することができる。【０００８】
また、本発明の画像処理方法は、透明フィルム上に万線状のストライプを備えた万線フィルタを重ねることにより可視化する万線潜像の、電子画像データを生成する第１のステップと；電子透かしの電子画像データを生成する第２のステップと；前記第１のステップで生成した前記万線潜像の電子画像データと、前記第２のステップで生成した前記電子画像データとを所定領域に重ね合わせて、合成電子画像データを生成する第３のステップと；を有する。【０００９】
前記印刷物に複数埋め込まれる前記電子透かしの検出数が所定数以上となり；  前記印刷物の原本における前記電子透かしの検出数と前記印刷物のコピーにおける前記電子透かしの検出数との差が所定値以上となるように、前記電子透かしの埋め込み強度を設定してもよい。【００１０】
前記万線潜像の電子画像データはベクター画像であり；前記電子透かしの電子画像データはビットマップ画像であり；前記第３のステップでは、前記万線潜像の電子画像データをベクター画像からビットマップ画像に変換した後、前記電子透かしの電子画像データと重ね合わせて前記合成電子画像データを生成してもよい。【００１１】
前記万線潜像の電子画像データはベクター画像であり；前記電子透かしの電子画像データはビットマップ画像であり；前記第３のステップでは、前記電子透かしの電子画像データをビットマップ画像からベクター画像に変換した後、前記万線潜像の電子画像データと重ね合わせて前記合成電子画像データを生成してもよい。
上記の画像処理方法によれば、上記画像処理装置と同様の効果を得ることができる。【００１２】
また、本発明の印刷物真贋判定方法は、印刷物を読み取って電子画像データを生成する第１のステップと；前記印刷物に埋め込まれている潜像画を記憶する第２のステップと；万線状のストライプを備えた万線フィルタの電子画像データを記憶する第３のステップと；前記印刷物に埋め込まれている前記電子透かしを記憶する第４のステップと；前記第１のステップで生成した前記電子画像データに、前記第３のステップで記憶した前記万線フィルタの電子画像データを重ね合わせることにより、前記第２のステップで記憶した前記潜像画が検出可能か否かを判定する第５のステップと；前記第１のステップで生成した電子画像データから前記第４のステップで記憶した前記電子透かしが検出可能か否かを判定する第６のステップと；前記第５のステップで前記潜像画を検出してかつ前記第６のステップで前記電子透かしを検出した場合に前記印刷物が本物であると判定する第７のステップと；を有する。
上記の印刷物真贋判定方法によれば、上記印刷物真贋判定装置と同様の効果を得ることができる。【００１３】
また、本発明のプログラムは、透明フィルム上に万線状のストライプを備えた万線フィルタを重ねることにより可視化する万線潜像の、電子画像データを生成する潜像画生成処理と；電子透かしの電子画像データを生成する電子透かし生成処理と；前記潜像画生成処理で生成した前記万線潜像の電子画像データと、前記電子透かし生成処理で生成した前記電子透かしの電子画像データとを所定領域に重ね合わせて合成電子画像データを生成する画像合成処理と；をコンピュータに実行させる。
上記のプログラムによれば、本発明に係る印刷物をより容易に得ることができる。
【発明の効果】
【００１４】
本発明は、透明フィルム上に万線状のストライプを備えた万線フィルタを重ねることにより可視化する万線潜像と、電子透かしとを、所定領域に重複して設けた印刷物を提供する。これにより、万線潜像から潜像画を検出可能か否かの判定に加えて、印刷物をスキャナ等で読み取った電子画像データから電子透かしが検出可能か否かの判定によっても、その印刷物が本物であるのか偽物であるのかの判定を行うことができる。その結果、印刷物の偽造や複製をより確実に防ぐ、あるいは、より確実に予防する効果を得ることができる。
また、本発明は、この印刷物を得る為に好適な画像処理装置、画像処理方法、又はプログラムを提供する。これらによって、本発明に係る印刷物を容易に得ることができる。
そして、この印刷物の真贋判定に好適な真贋判定装置を提供する。これらによって、本発明に係る印刷物の真贋を容易に判定することができる。
【図面の簡単な説明】
【００１５】
【図１Ａ】図１Ａは、本発明の一実施形態に係る印刷物１の構成を示す平面図である。
【図１Ｂ】図１Ｂは、本発明の一実施形態に係る万線フィルタ５の構成を示す平面図である。
【図２Ａ】図２Ａは、印刷物１（図１Ａ）の上に万線フィルタ５（図１Ｂ）を重ね合わせた場合に、観察者の目に映る模様を示す平面図である。
【図２Ｂ】図２Ｂは、印刷物１（図１Ａ）の上に万線フィルタ５（図１Ｂ）を重ね合わせた場合に、観察者の目に映る模様を示す平面図である。
【図３Ａ】図３Ａは、同実施形態に係る印刷物１に印刷されるデジタル画像７の一例を示す図である。
【図３Ｂ】図３Ｂは、図３Ａのデジタル画像７に電子透かしを埋め込む際の、領域分割の一例を示す図である。
【図４】図４は、同実施形態に係る画像処理装置１０ａの構成の一例を示すブロック図である。
【図５】図５は、同実施形態に係る画像処理装置１０ａ（図４）の処理の一例を示す図である。なお、本図において、ｄ１１は潜像画（ベクター画像）を、ｄ１２はビットマップ画像を、ｄ１３は電子透かし成分（２５６階調）を、ｄ１４は電子透かし成分（２階調）を、またｄ１５は潜像画（電子透かしが埋め込まれたベクター画像）を示す。
【図６】図６は、同実施形態に係る画像処理装置１０ｂの構成の他の例を示すブロック図である。
【図７】図７は、同実施形態に係る画像処理装置１０ｂ（図６）の処理の一例を示す図である。なお、本図において、ｄ２１は潜像画（ベクター画像）を、ｄ２２はビットマップ画像を、ｄ２３は電子透かし成分（２５６階調）を、またｄ２４は潜像画（電子透かしが埋め込まれたビットマップ画像）を示す。
【図８】図８は、潜像画に対する電子透かしの埋め込み強度を決定する方法についての説明図である。
【図９】図９は、潜像画に対して電子透かしを埋め込む方法について説明するための図である。
【図１０】図１０は、同実施形態に係る印刷物の真贋判定方法の処理の一例を示す図である。
【図１１】図１１は、同実施形態に係る印刷物真贋判定装置３０の構成の一例を示す図である。
【図１２】図１２は、同実施形態に係る印刷物真贋判定装置３０の処理の一例を示す図である。
【符号の説明】
【００１６】
１０ａ  画像処理装置
１０ｂ  画像処理装置
１１  潜像画生成部
１２  ビットマップ画像生成部
１３  ビットマップ画像処理部
１４  画像合成部
１５  印刷部
２１  潜像画生成部
２２  潜像画処理部
２３  ビットマップ画像生成部
２４  画像合成部
２５  印刷部
３０  印刷物真贋判定装置
３１  画像読取部
３２  記憶部
３３  潜像画検出部
３４  電子透かし検出部
３５  真贋判定部
３６  表示部
【発明を実施するための最良の形態】
【００１７】
以下、図面を参照し、本発明の実施形態について説明する。
図１Ａは、本発明の実施形態に係る印刷物１の構成の一例を示す平面図である。この印刷物１には、水平方向Ｄ１に平行な複数本の万線２が等間隔に印刷されている。万線２の幅（＝Ｈ）と各万線２間の間隔（＝Ｐ−Ｈ）とは同じである。印刷物１の中ほどには、周囲の万線２とは、所定長だけ垂直方向Ｄ２に位置をずらした万線３が印刷されている。
万線３の幅及び各万線３間の間隔は、それぞれ万線２の幅（＝Ｈ）及び各万線２間の間隔（＝Ｐ−Ｈ）と同じである。ここで、Ｐは万線のピッチを表す。
ここでは、万線３は、「Ｔ」という形状の万線潜像を形成している。また、５０μｍ≦Ｐ≦３００μｍ、（１／４）×Ｐ≦Ｈ≦（３／４）×Ｐの条件を満たすように、万線２を印刷物１上に印刷している。【００１８】
図１Ｂは、本発明の実施形態に係る万線フィルタ５の構成の一例を示す平面図である。この万線フィルタ５は、透明なフィルム上に、水平方向Ｄ１に平行な複数本の万線６が等間隔に印刷されている。万線６の幅及び各万線６間の間隔は、それぞれ万線２（図１Ａ）の幅（＝Ｈ）及び各万線２間の間隔（＝Ｐ−Ｈ）と同じである。【００１９】
図２Ａ及び図２Ｂは、印刷物１（図１Ａ）の上に万線フィルタ５（図１Ｂ）を重ね合わせた場合に、観察者の目に映る模様を示す平面図である。図２Ａや図２Ｂに示すように、観察者は潜像画である「Ｔ」という文字を視認する。印刷物１の上で、万線フィルタ５を垂直方向Ｄ２に移動させることにより、観察者は図２Ａに示す模様と、図２Ｂに示す模様とを交互に視認する。【００２０】
図３Ａは、本発明の実施形態に係る印刷物１に印刷されるデジタル画像７の一例を示す図である。このデジタル画像７が印刷される領域は、図３Ｂに示すように、複数のブロック８（例えば縦５ブロック×横６ブロック）に分割され、それぞれのブロックに同一の電子透かしが埋め込まれる。デジタル画像７に図３Ｂに示すような電子透かしが埋め込まれても、観察者がその電子透かしを視認することはできない。電子透かしは、所定の埋め込み強度で印刷物１に印刷される。なお、本実施形態の電子透かしとは、電子画像データに埋め込まれたものだけでなく、その電子画像データを印刷物に印刷したものも含まれる。印刷物に印刷された電子透かしは、その印刷物をスキャナで読み取って電子画像データを生成することにより、その電子画像データから電子透かしを検出できるか否かについての判定に利用される。この電子透かしに関する技術としては、特開２００２−６４７００号公報に記載にされている技術などが知られている。
本実施形態の印刷物１には、図３Ａ及び図３Ｂで説明したような電子透かしが埋め込まれたデジタル画像７と、図１Ａで説明したような万線潜像とが印刷される。【００２１】
図４は、本発明の実施形態に係る画像処理装置１０ａの構成の一例を示すブロック図である。この画像処理装置１０ａは、潜像画生成部１１、ビットマップ画像生成部１２、ビットマップ画像処理部１３、画像合成部１４、及び印刷部１５を有する。
潜像画生成部１１は、図１Ａに示したような潜像画を備える万線潜像の電子画像データを生成し、その電子画像データを画像合成部１４へ出力する。ここでは、潜像画生成部１１は、ベクター画像の万線潜像の電子画像データを生成する。ベクター画像とは、座標値で指定される点や線等により表される画像であり、基本的に２値画像である。
ビットマップ画像生成部１２は、図３Ａに示したようなデジタル画像を生成し、そのデジタル画像をビットマップ画像処理部１３に出力する。ここでは、ビットマップ画像生成部１２は、ビットマップ画像のデジタル画像を生成する。ビットマップ画像とは、２５６階調などの階調により表される画像であり、ピクセル毎に色を持つ画像である。【００２２】
ビットマップ画像処理部１３は、図３Ｂで説明した電子透かしを生成する。ここでは、ビットマップ画像の電子透かしを生成している。また、ビットマップ画像処理部１３は、デジタル画像に電子透かしを埋め込んだ電子画像データを生成し、２５６階調のビットマップ画像から２階調のビットマップ画像に変換した後、そのビットマップ画像をベクター画像に変換して画像合成部１４に出力する。
画像合成部１４は、潜像画生成部１１が生成した電子画像データと、ビットマップ画像処理部１３が生成した電子画像データとを所定領域に合成することにより、ベクター画像である１つの合成電子画像データを生成し、印刷部１５に出力する。
印刷部１５は、画像合成部１４が生成した合成電子画像データを印刷物に印刷する。これにより、万線潜像（図１Ａ）と電子透かし（図３Ｂ）とが重複するように印刷物上に印刷される。
印刷部１５としては、オフセット印刷機などを用いることができる。この場合には、画像合成部１４が生成した合成電子画像データを印刷版として作成し、その印刷版をオフセット印刷機に取り付けて、同じ印刷物を大量に印刷する。これにより、大量の印刷物に偽造防止対策・真偽判定用対策を施すことができる。【００２３】
図５は、本発明の実施形態に係る画像処理装置１０ａ（図４）の処理の一例を示す図である。始めに、潜像画生成部１１は、ベクター画像の潜像画ｄ１１を生成する。また、ビットマップ画像生成部１２は、ビットマップ画像のデジタル画像ｄ１２を生成する。
ビットマップ画像処理部１３は、２５６階調のビットマップ画像ｄ１３である電子透かしを生成する。そして、ビットマップ画像処理部１３は、ビットマップ画像ｄ１２に対して、２５６階調のビットマップ画像ｄ１３である電子透かしを埋め込んだ後、２５６階調のビットマップ画像を２階調のビットマップ画像ｄ１４に変換する。そして、ビットマップ画像処理部１３は、ビットマップ画像ｄ１４をベクター画像に変換する。
画像合成部１４は、潜像画生成部１１から出力されるベクター画像の潜像画と、ビットマップ画像処理部１３から出力されるベクター画像の、電子透かしが埋め込まれたデジタル画像とを所定領域において合成することにより、電子透かしが埋め込まれたベクター画像の潜像画ｄ１５を生成する。そして、印刷部１５は、画像合成部１４から出力される潜像画ｄ１５を印刷物に印刷する。【００２４】
上述した画像処理装置１０ａによれば、潜像画に含まれる万線をベクター画像としているため、潜像画に電子透かしを埋め込む際に、万線が劣化することを防ぐことができ、万線潜像の検出の精度を上げることができる。【００２５】
図６は、本発明の実施形態に係る画像処理装置１０ｂの構成の他の一例を示すブロック図である。この画像処理装置１０ｂは、潜像画生成部２１、潜像画処理部２２、ビットマップ画像生成部２３、画像合成部２４、及び印刷部２５を有する。
潜像画生成部２１は、図１Ａに示したような潜像画を備える万線潜像の電子画像データを生成し、その電子画像データを潜像画処理部２２へ出力する。ここでは、潜像画生成部２１は、ベクター画像の万線潜像の電子画像データを生成する。
ビットマップ画像生成部２３は、図３Ａに示したようなデジタル画像を生成し、そのデジタル画像を画像合成部２４に出力する。ここでは、ビットマップ画像生成部２３は、ビットマップ画像のデジタル画像を生成する。【００２６】
潜像画処理部２２は、図３Ｂで説明した電子透かしを生成する。ここでは、潜像画処理部２２は、ビットマップ画像の電子透かしを生成する。また、潜像画処理部２２は、潜像画に電子透かしを埋め込んだ電子画像データを生成し、２５６階調のビットマップ画像から２階調のビットマップ画像に変換した後、画像合成部２４に出力する。
画像合成部２４は、潜像画処理部２２が生成した電子画像データと、ビットマップ画像生成部２３が生成した電子画像データとを合成することにより、ビットマップ画像である１つの合成電子画像データを生成し、印刷部２５に出力する。
印刷部２５は、画像合成部２４が生成した合成電子画像データを印刷物に印刷する。これにより、万線潜像（図１Ａ）と電子透かし（図３Ｂ）とが重複するように印刷物に印刷される。【００２７】
図７は、本発明の実施形態に係る画像処理装置１０ｂ（図６）の処理の一例を示す図である。始めに、潜像画生成部２１は、ベクター画像の潜像画ｄ２１を生成する。また、ビットマップ画像生成部２３は、ビットマップ画像のデジタル画像ｄ２２を生成する。
潜像画処理部２２は、潜像画のベクター画像をビットマップ画像に変換する。そして、潜像画処理部２２は、２５６階調のビットマップ画像ｄ２３である電子透かしを生成する。そして、潜像画処理部２２は、潜像画ｄ２１に対して、２５６階調のビットマップ画像ｄ２３である電子透かしを埋め込む。
画像合成部２４は、潜像画処理部２２から出力される電子透かしが埋め込まれたビットマップ画像の潜像画と、ビットマップ画像生成部２３から出力されるビットマップ画像であるデジタル画像とを所定領域において合成することにより、電子透かしが埋め込まれたビットマップ画像の潜像画ｄ２４を生成する。そして、印刷部２５は、画像合成部２４から出力される潜像画ｄ２４を印刷物に印刷する。【００２８】
上述した画像処理装置１０ｂによれば、電子透かしが２５６階調のビットマップ画像としているため、潜像画に電子透かしを埋め込む際に、電子透かしが劣化することを防ぐことができ、電子透かしの検出の精度を上げることができる。【００２９】
次に、本実施形態において、潜像画に電子透かしを埋め込む方法について説明する。
図８は、潜像画に対する電子透かし埋め込み強度を決定する方法について説明するための図である。図８の横軸は電子透かし埋め込み強度を示しており、縦軸は電子透かし検出数を示している。電子透かし埋め込み強度は、電子透かしを印刷物上に印刷する際のインクの濃度をいう。電子透かし検出数は、図３Ｂに示すように、印刷物を所定のブロック数に分割して電子透かしを埋め込んだ場合において、その印刷物をスキャナで読み取ったときに、電子透かしを埋め込んだ全ブロックのうち電子透かしを検出することができたブロック数をいう。大量の枚数を印刷する場合、印刷版は同じであっても、印刷物１枚ごとにインクの乗り具合のバラツキが発生する。その為、スキャンによる検出結果も印刷物１枚ごとのバラツキが生じてしまう。原本かコピー品かを識別する為の閾値を設定するときには、この問題を考慮したうえで適当な値を選定する。
図８において、曲線ｇ１は印刷物の原本から電子透かしを検出した場合を示しており、曲線ｇ２は劣化の度合いが原本の４０％である印刷物から電子透かしを検出した場合を示しており、曲線ｇ３は印刷物のコピーから電子透かしを検出した場合を示している。【００３０】
本実施形態では、曲線ｇ１の電子透かし検出数が所定値（例えば、７）以上となる電子透かし埋め込み強度を閾値ｃ１として設定している。また、曲線ｇ３の電子透かし検出数が曲線ｇ２以下となる電子透かし埋め込み強度を閾値ｃ２として設定している。そして、閾値ｃ１以上であって閾値ｃ２以下となるように電子透かし強度を決定している。
このように、電子透かし検出数が所定値以上となるように、電子透かし埋め込み強度を決定することにより、電子透かしの検出数が所定値よりも小さくなるように電子透かしが印刷物に印刷されることを防ぐことができる。また、曲線ｇ３の電子透かし検出数が曲線ｇ２以下であるという条件を満たすように、電子透かし埋め込み強度を決定することにより、印刷物の原本における電子透かし検出数と印刷物のコピーにおける電子透かし検出数とが、所定数以上離れるようにすることができるため、印刷物の原本とコピーとを電子透かしにより明確に識別することができる。【００３１】
図９は、潜像画に対して電子透かしを埋め込む方法について説明するための図である。
図９の（ａ）は、万線潜像（潜像画）が印刷される領域ａ１を示している。領域ａ１には、複数本のストライプ状の万線Ｘが配置されている。ここでは、万線潜像が印刷される領域ａ１の面積に対して、万線Ｘが印刷される領域の面積が、一例として５５％である場合について説明する。
図９の（ｂ）は、電子透かしが印刷される領域ａ２を示している。領域ａ２には、複数の四角形状の電子透かしＹが点在して配置されている。ここでは、電子透かしが印刷される領域ａ２の面積に対して、電子透かしＹが印刷される領域の面積が、一例として４０％である場合について説明する。【００３２】
図９の（ｃ）〜図９の（ｅ）は、万線潜像が印刷される領域ａ１と電子透かしが印刷される領域ａ２とが重複させて領域ａ３に印刷する場合を示している。ここでいう重複とは、領域ａ１の一部に領域ａ２が含まれること、または、領域ａ２の一部に領域ａ１が含まれることをいう。なお、ここでは、領域ａ１と領域ａ２とを重複させる場合について説明したが、万線潜像Ｘと電子透かしＹとを重ねて印刷するようにしてもよい。
万線潜像Ｘと電子透かしＹとの重なりが図９の（ｃ）に示すように大きくなると、電子透かしＹの検出が困難になる。一方、万線潜像と電子透かしとの重なりが図９の（ｅ）に示すように小さくなると、印刷物にインクが載る領域が大きくなり、印刷物の外観を損なう。
そこで、本実施形態では、万線潜像Ｘと電子透かしＹとの重なりが所定値よりも小さくなるように、万線潜像を印刷する領域ａ１と電子透かしを印刷する領域ａ２とを重ね合わせる。また、本実施形態では、万線潜像Ｘが印刷される面積に対する万線潜像Ｘ及び電子透かしＹが印刷される面積の増加分（図９の（ｆ））が所定の割合（例えば、５％）以上大きくならないように、万線潜像を印刷する領域ａ１と電子透かしを印刷する領域ａ２とを重ね合わせる（図９の（ｄ））。【００３３】
次に、本発明の実施形態に係る印刷物真贋判定方法の処理の一例について説明する。
図１０は、本発明の実施形態に係る印刷物の真贋判定方法の処理の一例を示す図である。始めに、図１Ａに示す印刷物ｄ３１に、図１Ｂに示す万線フィルタを重ね合わせることにより、印刷物に埋め込まれている潜像画が確認できるか否かを判定する（ステップＳ１１）。ステップＳ１１で潜像画を確認することができた場合には（ｄ３２）、潜像画による判定については印刷物が本物（正規品）であると判定する。一方、ステップＳ１１で潜像画を確認することができない場合には（ｄ３３）、潜像画による判定については印刷物が偽物（コピー）であると判定する。
また、図１Ａに示す印刷物ｄ３１を、スキャナで読み取ることによりスキャン画像ｄ３４を取得し（ステップＳ１２）、そのスキャン画像ｄ３４から電子透かしを検出できるか否かについて判定する（ステップＳ１３）。ステップＳ１３でスキャン画像ｄ３４から電子透かしを検出することができた場合には、電子透かしによる判定については印刷物が本物（正規品）であると判定する。一方、ステップＳ１３でスキャン画像ｄ３４から電子透かしを検出することができなかった場合には、電子透かしによる判定については印刷物が偽物（コピー）であると判定する。
結果として、潜像画による判定（ステップＳ１１）で印刷物が本物と判定され、かつ、電子透かしによる判定（ステップＳ１３）で印刷物が本物と判定された場合にのみ、印刷物が本物であると判定する。【００３４】
次に、本発明の実施形態に係る印刷物真贋判定方法の処理の他の一例について説明する。この例では、印刷物真贋判定装置３０を用いることにより、印刷物の真贋判定を行う。
図１１は、本発明の実施形態に係る印刷物真贋判定装置３０の構成の一例を示す図である。この印刷物真贋判定装置３０は、画像読取部３１、記憶部３２、潜像画検出部３３、電子透かし検出部３４、真贋判定部３５、表示部３６を有する。
画像読取部３１は、スキャナなどの機器であり、印刷物に印刷されている模様等を画像として読み取ることにより、印刷物の電子画像データであるスキャン画像を生成する。画像読取部３１は、生成したスキャン画像を潜像画検出部３３と電子透かし検出部３４とに出力する。記憶部３２は、万線フィルタの電子画像データや、印刷物の潜像画の電子画像データを記憶する。潜像画検出部３３は、画像読取部３１から出力されるスキャン画像に対して、記憶部３２が記憶している万線フィルタの電子画像データを重ね合わせることにより、記憶部３２に記憶されている潜像画を検出できるか否かを判定し、その判定結果を真贋判定部３５に出力する。【００３５】
電子透かし検出部３４は、画像読取部３１から出力されるスキャン画像から、電子透かしが検出できるか否かを判定し、その判定結果を真贋判定部３５に出力する。
真贋判定部３５は、潜像画検出部３３から出力される判定結果と、電子透かし検出部３４から出力される判定結果とに基づいて、画像読取部３１でスキャンした印刷物が本物であるか否かについて判定する。具体的には、潜像画検出部３３から出力される判定結果がスキャン画像から潜像画を検出することができたことを示すものであり、かつ、電子透かし検出部３４から出力される判定結果がスキャン画像から電子透かしを検出することができたことを示すものである場合には、印刷物が本物であると判定し、その判定結果を表示部３６に出力する。
表示部２６は、ＬＣＤ（Liquid Crystal Display）などの表示機器であり、真贋判定部３５から出力される判定結果を画面に表示する。つまり、印刷物が本物であるか偽物であるかを画面に表示する。【００３６】
図１２は、本発明の実施形態に係る印刷物真贋判定装置３０の処理の一例を示す図である。始めに、画像読取部３１は、印刷物ｄ４１を読み取ることにより、スキャン画像ｄ４２を生成する（ステップＳ２１）。そして、そのスキャン画像ｄ４２に、記憶部３２が記憶している万線フィルタの電子画像データを重ね合わせることにより、記憶部３２が記憶している潜像画と同じ潜像画を検出することができるか否かを判定する（ステップＳ２２）。ステップＳ２２で潜像画を確認することができた場合には（ｄ４３）、潜像画による判定については印刷物が本物（正規品）であると判定する。一方、ステップＳ２２で潜像画を確認することができない場合には（ｄ４４）、潜像画による判定については印刷物が偽物（コピー）であると判定する。【００３７】
また、電子透かし検出部３４は、ステップＳ２１で生成したスキャン画像ｄ４２から電子透かしを検出できるか否かについて判定する（ステップＳ２３）。ステップＳ２３でスキャン画像ｄ４２から電子透かしを検出することができた場合には、電子透かしによる判定については印刷物が本物であると判定する。一方、ステップＳ２３でスキャン画像ｄ４２から電子透かしを検出することができなかった場合には、電子透かしによる判定については印刷物が偽物であると判定する。
結果として、潜像画による判定（ステップＳ２２）で印刷物が本物と判定され、かつ、電子透かしによる判定（ステップＳ２３）で印刷物が本物と判定された場合にのみ、印刷物が本物であると判定する。【００３８】
図１０〜図１２で説明した印刷物真贋判定方法を利用すれば、印刷物に印刷されている潜像画と、印刷物に埋め込まれている電子透かしとにより、印刷物が本物であるか偽物であるかを判定することができるので、印刷物の偽造や複製を効果的に防止することができる。例えば、印刷業者等が印刷物に印刷されている模様等を顕微鏡などにより詳細に分析することにより潜像画を複製した場合であっても、印刷物に電子透かしが埋め込まれていることを見つけることは困難であるため、印刷物が本物であるか偽物であるかの判定精度を上げることができる。【００３９】
なお、以上説明した実施形態において、図４の潜像画生成部１１、ビットマップ画像生成部１２、ビットマップ画像処理部１３、画像合成部１４、印刷部１５、図６の潜像画生成部２１、潜像画処理部２２、ビットマップ画像生成部２３、画像合成部２４、印刷部２５、図１１の画像読取部３１、記憶部３２、潜像画検出部３３、電子透かし検出部３４、真贋判定部３５、表示部３６の機能又はこれらの機能の一部を実現するためのプログラムをコンピュータ読み取り可能な記録媒体に記録して、この記録媒体に記録されたプログラムをコンピュータシステムに読み込ませ、実行することにより画像処理装置１０ａ、画像処理装置１０ｂ、印刷物真贋判定装置３０の制御を行ってもよい。なお、ここでいう「コンピュータシステム」とは、ＯＳや周辺機器等のハードウェアを含むものとする。【００４０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。【００４１】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００４２】
印刷物の偽造や複製を防ぎあるいは予防することに有効な印刷物、その印刷物を得る為に好適な画像処理装置、画像処理方法、又はプログラム、並びに、この印刷物の真贋判定に好適な真贋判定装置や真贋判定方法を提供することができる。
【図１Ａ】
2008023691.tif 000003
【図１Ｂ】
2008023691.tif 000004
【図２Ａ】
2008023691.tif 000005
【図２Ｂ】
2008023691.tif 000006
【図３Ａ】
2008023691.tif 000007
【図３Ｂ】
2008023691.tif 000008
【図４】
2008023691.tif 000009
【図５】
2008023691.tif 000010
【図６】
2008023691.tif 000011
【図７】
2008023691.tif 000012
【図８】
2008023691.tif 000013
【図９】
2008023691.tif 000014
【図１０】
2008023691.tif 000015
【図１１】
2008023691.tif 000016
【図１２】
2008023691.tif 000017
【国際調査報告】
2008023691.tif 000018
2008023691.tif 000019
2008023691.tif 000020
2008023691.tif 000021